(57)【要約】【課題】移動局が、同期の取れていない基地局へＣＤＭＡセグメントの信号を送信する時、ＣＤＭＡセグメント周辺のチャネルリソースに対して干渉を与える原因となる。【解決手段】第１の通信方式と第２の通信方式とが混在する上り送信チャネルを用いて移動局と通信する基地局であって、移動局と基地局との間の通信チャネルの品質を算出する演算部と、演算部で算出された通信チャネルの品質に基づいて、移動局の上り送信チャネルのリソースを割り当てるスケジューラ部と、を備え、スケジューラ部は、上り送信チャネルのリソースを移動局に割り当てる場合、割り当てられる上り送信チャネルのリソースが管理対象のリソースに含まれるか否かを判定し、割り当てられる上り送信チャネルのリソースが管理対象のリソースに含まれるか否かの判定結果に基づいて、移動局の通信条件を制御することを特徴とする。【選択図】図５
2009296199.tif 000002
【特許請求の範囲】
【請求項１】
第１の通信方式と第２の通信方式とが混在する上り送信チャネルを用いて移動局と通信する基地局であって、
前記移動局と前記基地局との間の通信チャネルの品質を算出する演算部と、
前記演算部で算出された通信チャネルの品質に基づいて、前記移動局の上り送信チャネルのリソースを割り当てるスケジューラ部と、を備え、
前記スケジューラ部は、
前記移動局に割り当てられた上り送信チャネルのリソースの周辺領域に含まれるリソースを管理し、
上り送信チャネルのリソースを前記移動局に割り当てる場合、前記割り当てられる上り送信チャネルのリソースが前記管理対象のリソースに含まれるか否かを判定し、
前記割り当てられる上り送信チャネルのリソースが前記管理対象のリソースに含まれるか否かの判定結果に基づいて、前記移動局の通信条件を制御することを特徴とする基地局。
【請求項２】
前記管理対象のリソースは、前記割り当てられる上り送信チャネルのリソースを含み、該リソースより大きな幅の矩形領域に含まれるリソースであって、前記矩形領域は周波数軸及び時間軸において定められることを特徴とする請求項１に記載の基地局。
【請求項３】
前記スケジューラ部は、
前記移動局の上り送信チャネルのリソースの割り当て結果を管理し、
前記移動局の上り送信チャネルのリソースの割り当て結果を参照し、前記割り当てられる上り送信チャネルのリソースが前記管理対象のリソースに含まれるか否かを判定することを特徴とする請求項１に記載の基地局。
【請求項４】
前記スケジューラ部は、前記管理対象のリソースの割り当ての優先順位を下げて、前記移動局との通信の条件を制御することを特徴とする請求項１に記載の基地局。
【請求項５】
前記スケジューラ部は、前記管理対象のリソースに干渉に強い変調方式及び符号化方法を選択して、前記移動局の通信条件を制御することを特徴とする請求項１に記載の基地局。
【請求項６】
前記移動局の送信電力を制御する電力制御部を備え、
前記スケジューラ部は、前記割り当てられる上り送信チャネルのリソースが前記管理対象のリソースに含まれることを示す電力制御信号を前記電力制御部に送信して、前記移動局の通信条件を制御し、
前記電力制御部は、前記電力制御信号を受信した場合、前記管理対象のリソースの電力を他の前記上り送信チャネルのリソースの電力より大きくなるように設定することを特徴とする請求項１に記載の基地局。
【請求項７】
第１の通信方式と第２の通信方式とが混在する上り送信チャネルを用いて移動局と通信する基地局の制御方法であって、
前記基地局は、
前記移動局と前記基地局との間の通信チャネルの品質を算出する演算部と、
前記演算部で算出された通信チャネル品質に基づいて、前記移動局の上り送信チャネルのリソースを割り当てるスケジューラ部と、を備え、
前記方法は、
前記移動局に割り当てられた上り送信チャネルのリソースの周辺領域に含まれるリソースを管理し、
上り送信チャネルのリソースを前記移動局に割り当てる場合、前記割り当てられる上り送信チャネルのリソースが前記管理対象のリソースに含まれるか否かを判定し、
前記割り当てられる上り送信チャネルのリソースが前記管理対象のリソースに含まれるか否かの判定結果に基づいて、前記移動局の通信条件を制御する手順を含むことを特徴とする基地局の制御方法。
【請求項８】
前記管理対象のリソースは、前記割り当てられる上りチャネルのリソースを含み、該リソースより大きな幅の矩形領域に含まれるリソースであって、前記矩形領域は周波数軸及び時間軸において定められることを特徴とする請求項７に記載の基地局の制御方法。
【請求項９】
前記移動局の上り送信チャネルのリソースの割り当て結果を管理し、
前記移動局の上り送信チャネルのリソースの割り当て結果を参照し、前記割り当てられる上り送信チャネルのリソースが前記管理対象のリソースに含まれるか否かを判定する手順を含むことを特徴とする請求項７に記載の基地局の制御方法。
【請求項１０】
前記移動局の通信条件を制御する手順では、前記管理対象のリソースの割り当ての優先順位を下げることを特徴とする請求項７に記載の基地局の制御方法。
【請求項１１】
前記移動局の通信条件を制御する手順では、前記管理対象のリソースに干渉に強い変調方式及び符号化方法を選択することを特徴とする請求項７に記載の基地局の制御方法。
【請求項１２】
前記基地局は、前記移動局の送信電力を制御する電力制御部を備え、
前記方法は、
前記移動局の通信条件を制御する手順では、前記割り当てられる上り送信チャネルのリソースが前記管理対象のリソースに含まれることを示す電力制御信号を前記電力制御部に送信し、
前記電力制御信号を受信した場合、前記管理対象のリソースの電力を他の前記上り送信チャネルのリソースの電力より大きくなるように設定することを特徴とする請求項７に記載の基地局の制御方法。
【発明の詳細な説明】
【技術分野】
【０００１】
本発明は、無線通信システムの基地局に関し、特に、上りチャンネルに二つの通信方式（例えば、直交周波数分割多重：ＯＦＤＭＡ（Orthogonal Frequency Division Multiple Access）方式及び符号分割多重：ＣＤＭＡ（Code Division Multiple Access）方式）を混在して使用するセルラ無線通信システムの基地局に関する。
【背景技術】
【０００２】
ＣＤＭＡ（Code Division Multiple Access）方式を使用した第３世代移動通信システムによって、ＩＰ網を介したマルチメディア情報の通信が可能となり、更に広帯域高速化された通信サービスへのニーズが高まっている。
【０００３】
ＯＦＤＭＡ方式は、直交する複数搬送波を周波数軸上で直交多重することによって、周波数利用効率を向上させる。さらに、ＣＤＭＡ方式に比べて広帯域化が容易であり、次世代のセルラ無線通信システムとして注目を集めている。
【０００４】
ＯＦＤＭＡ方式を利用した次世代のセルラ無線通信システムでは、例えば、下り通信において、ベストエフォート型のデータ通信、ＶｏＩＰ音声通信、及び映像などのストリーミング情報の配信など、広帯域通信のサポートが一般的となることが予想される。一方、端末からの送信データ量の増加に対応するために上り通信もＯＦＤＭＡ方式を使用したデータ通信が検討されている。
【０００５】
ＯＦＤＭＡ方式を使用したセルラ無線通信システムでは、基地局と移動局との間の通信チャネルとして、ユーザデータを伝送するためのトラフィックチャネル（データチャネル）の他に、例えば、端末から基地局に向かう上り回線（リンク）を確立するためのアクセスチャネル、上り回線及び基地局から移動局に向かう下り回線で制御情報を伝送するための制御チャネル、並びに、基地局から移動局にチャネル割り当て情報及びシステム情報を通知するためのブロードキャストチャネルなど、各種の制御チャネルが形成される。
【０００６】
前述した通信チャネルの構成として、例えば、ＯＦＤＭＡ方式を採用し、特定の周波数帯域と時間（サブフレーム）を分割し、トラフィックチャネルと制御チャネルを構成する方法がある（例えば、非特許文献１参照）。
【０００７】
また、前述した通信チャネルの構成として、例えば、ＯＦＤＭＡ方式を採用し、特定の周波数帯域とサブフレーム分割によりトラフィックチャネルと制御チャネルを構成する方法がある（例えば、非特許文献２参照）。しかし、上り通信では一部ＣＤＭＡ方式を採用し制御チャネルとデータチャネルを送信する事も検討されている。この場合、ＣＤＭＡ方式で使用されるチャネルリソースがＯＦＤＭＡ方式で使用されるチャネルリソースと周波数軸上で多重する。
【非特許文献１】「３ＧＰＰ  Ｅｖｏｌｖｅｄ  Ｕｎｉｖｅｒｓａｌ  Ｔｅｒｒｅｓｔｒｉａｌ  Ｒｅｄｉｏ  Ａｃｃｅｓｓ（Ｅ−ＵＴＲＡ）；Ｐｈｙｓｉｃａｌ  Ｃｈａｎｎｅｌｓ  ａｎｄ  ｍｏｄｕｌａｔｉｏｎ」、ＴＳ  ３６．２１１（ｖ８．２０）、２００８年３月２０日
【非特許文献２】「Ｐｈｙｓｉｃａｌ  Ｌａｙｅｒ  ｆｏｒ  Ｕｌｔｒａ  Ｍｏｂｉｌｅ  Ｂｒｏａｄｂａｎｄ（ＵＭＢ）  Ａｉｒ  Ｉｎｔｅｒｆａｃｅ  Ｓｐｅｃｉｆｉｃａｔｉｏｎ」、３ＧＰＰ２  Ｃ．Ｓ００８４−００１−０  ｖｉｒｓｉｏｎ  ２．０、２００７年８月
【発明の開示】
【発明が解決しようとする課題】
【０００８】
図１は、従来のセルラ無線システムの構成を示す説明図である。
【０００９】
セルラ無線通信システムは、ネットワークＮＷ２０２に接続された複数の基地局２０１と、基地局２０１と無線で通信する複数の移動局２０３とから構成される。各移動局２０３は、通信圏内に位置する基地局２０１を介して他の移動局２０３、またはネットワークＮＷ２０２に接続された他の通信装置（端末またはサーバ）と通信する。
【００１０】
移動局２０３は、通信環境の良い基地局２０１を介して通信する。例えば、図１では、基地局２０１を中心にした円状の領域に存在する移動局２０３は、円状の領域の中心に存在する基地局２０１を介して通信する。
【００１１】
図２は、従来のセルラ無線システムの移動局２０３と基地局２０１との関係を示す説明図である。
【００１２】
図２に示すセルラ無線システムにおいて、移動局２０３は、通常、ソフトハンドオフを行うため複数の基地局２０１を捉えた状態を維持する。移動局２０３が実際にデータ通信を行っている基地局２０１をＳＳ（Serving Sector）基地局２０１Ａ、ハンドオフを行うために捉えている基地局２０１をＡＳ（Active Set）基地局２０１Ｂと呼ぶ。なお、基地局２０１の時計は、ＧＰＳによって同期されている。
【００１３】
移動局２０３は、ＡＳ基地局２０１ＢにＣＤＭＡセグメントの信号を送信し、また、ＳＳ基地局２０１ＡにＣＤＭＡセグメントの信号、及び、他の移動局２０３、またはネットワークＮＷ２０２に接続された他の通信装置と通信するためのデータを含むＯＦＤＭ信号を送信する。
【００１４】
図３は、従来のＯＦＤＭＡ方式とＣＤＭＡ方式とが混在した通信方式における、チャネルリソースを示す説明図である。
【００１５】
ＯＦＤＭシンボルは、連続した広い周波数領域に割り当てられる。一方、ＣＤＭＡセグメントは、特定の狭い周波数帯域に割り当てられる。このように、両者は割り当てられる領域が異なり、図３に示すように、両方式のリソースが、周波数時間領域で混在して割り当てられる。
【００１６】
図４は、従来のＯＦＤＭＡ方式とＣＤＭＡ方式とが混在した通信方式において、ＣＤＭＡセグメントが時間方向及び周波数方向に与える干渉を示す説明図である。
【００１７】
移動局２０３は、ＳＳ基地局２０１Ａに対して同期を保つ処理を実行している。しかし、移動局２０３から複数の基地局２０１までの距離は異なるため、移動局２０３がＡＳ基地局２０１Ｂに対して送信する上り信号は、移動局２０３とＡＳ基地局２０１Ｂとの距離差によって、図４に示すような到着時刻のずれが生じる。
【００１８】
そのため、移動局２０３からの信号の到着時刻のずれは、時間軸上のチャネルリソースに対して、干渉を与える原因となる。また、移動局２０３の移動によるドップラー効果によって、周波数のずれが生じ、周波数軸のチャネルリソースに対しても干渉が生じる。
【００１９】
具体的には、非特許文献２に記載された通信方式において、移動局２０３は、ソフトハンドオフを行うため、ＡＳ基地局２０１Ｂに対してＣＤＭＡセグメントの信号を送信する。しかし、移動局２０３はＳＳ基地局２０１Ａに同期したタイミングでＣＤＭＡセグメントの信号を送信しているため、ＡＳ基地局２０１Ｂは前述した到着時刻のずれ、及び周波数のずれによって発生する干渉の信号としてＣＤＭＡセグメントの信号を受信する。また、ハンドオフに限らず、初期アクセスの場合、つまり、ＳＳ基地局２０１Ａが確定する前において、移動局２０３は、全基地局２０１に対してＣＤＭＡセグメントの信号を送信するため、前述したような干渉が同様に発生する。
【００２０】
ＯＦＤＭＡ方式を使用した通信方式では、ＣＰ（Cyclic  Prefix）またはＧＩ（Guard Interval）と呼ばれるリソース配置間隔マージンを持たせることによって干渉を抑制している。しかし、ＣＤＭＡセグメントは、ＯＦＤＭＡリソースに与えるマージンが考慮されていない。したがって、ＣＤＭＡセグメントの信号の時刻のずれ、及び周波数のずれが高確率で起きる場合、前記時刻のずれ、及び前記周波数のずれよって発生する干渉を考慮した制御を提供する意味があると考えられる。
【００２１】
本発明の目的は、ＯＦＤＭＡ方式とＣＤＭＡ方式とを使用したセルラ無線通信システムにおいて、移動局２０３が送信するＣＤＭＡセグメントの信号による干渉を考慮した制御をすることが可能な基地局２０１を提供することにある。
【課題を解決するための手段】
【００２２】
本発明の代表的な一例を示せば以下の通りである。すなわち、第１の通信方式と第２の通信方式とが混在する上り送信チャネルを用いて移動局と通信する基地局であって、前記移動局と前記基地局との間の通信チャネルの品質を算出する演算部と、前記演算部で算出された通信チャネルの品質に基づいて、前記移動局の上り送信チャネルのリソースを割り当てるスケジューラ部と、を備え、前記スケジューラ部は、前記移動局に割り当てられた上り送信チャネルのリソースの周辺領域に含まれるリソースを管理し、上り送信チャネルのリソースを前記移動局に割り当てる場合、前記割り当てられる上り送信チャネルのリソースが前記管理対象のリソースに含まれるか否かを判定し、前記割り当てられる上り送信チャネルのリソースが前記管理対象のリソースに含まれるか否かの判定結果に基づいて、前記移動局の通信条件を制御することを特徴とする。
【発明の効果】
【００２３】
本発明の一実施の形態によれば、基地局がデータ通信中以外の移動局から受信するＣＤＭＡセグメントの信号を起因とした干渉を補償したスケジューラを提供できる。また、前記ＣＤＭＡセグメントの信号から干渉を受ける可能性があるＯＦＤＭＡリソースを分離制御する事によって、当該リソースのデータ通信品質(誤り率特性)の劣化を低減する。
【発明を実施するための最良の形態】
【００２４】
［第１の実施の形態］
以下、図１に示すセルラ無線通信システムの場合について説明する。
【００２５】
本発明の第１の実施の形態のセルラ無線システムの構成は、前述した図１、図２及び図３に示すとおりである。
【００２６】
すなわち、セルラ無線通信システムは、ネットワークＮＷ２０２に接続された複数の基地局２０１と、基地局２０１と無線で通信する複数の移動局２０３とから構成される。各移動局２０３は、通信圏内に位置した基地局２０１を介して他の移動局２０３、またはネットワークＮＷ２０２に接続された他の通信装置（端末またはサーバ）と通信する。
【００２７】
移動局２０３は、通信環境の良い基地局２０１を介して通信する。例えば、図１では、基地局２０１を中心にした円状の領域に存在する移動局２０３は、円状の領域の中心に存在する基地局を介して通信する。基地局２０１の時計は、ＧＰＳによって同期されている。
【００２８】
図５は、本発明の第１の実施の形態の基地局２０１が備える無線送受信部の構成を示すブロック図である。
【００２９】
基地局２０１の無線送受信部は、アンテナ１０１に接続されたフロントエンド部１０２と、フロントエンド部１０２に接続された復調部１０３と、復調部１０３に接続されたタイミング情報生成部１０７、ＣＱＩ演算部１０５及び下りスケジューラ１０６と、ＣＱＩ演算部１０５に接続されたＴＰＣ情報生成部１０４及び上りスケジューラ１０８と、タイミング情報生成部１０７、ＴＰＣ情報生成部１０４、上りスケジューラ１０８及び下りスケジューラ１０６に接続された変調部１０９とを備える。
【００３０】
フロントエンド部１０２は、アンテナ１０１から受信したＲＦ（Radio Frequency）信号をフィルタリングし、周波数変換し、ベースバンドＯＦＤＭ信号及びベースバンドＣＤＭＡ信号を出力する。出力された前記ベースバンドＯＦＤＭ信号は、復調部１０３に入力される。また、フロントエンド部１０２は、変調部１０９から入力された下りベースバンドＯＦＤＭ信号をＲＦ信号に変換し、変換されたＲＦ信号を電力増幅して、アンテナ１０１に出力する。
【００３１】
復調部１０３は、フロントエンド部１０２から入力されたベースバンドＯＦＤＭ信号からデータビット列を復調し、各移動局２０３から送信された上りデータを基地局２０１の上位制御部（図示せず）に復調されたデータビット列を転送する。また、復調部１０３は、復調されたデータビット列から下り信号品質情報を検出し、下りスケジューラ１０６へ検出された信号品質情報を出力する。また、復調部１０３は、復調の為の参照信号であるパイロット信号を抽出し、タイミング情報生成部１０７及びＣＱＩ演算部１０５へ抽出されたパイロット信号を出力する。
【００３２】
ＴＰＣ情報生成部１０４は、ＣＱＩ演算部１０５からチャネル品質情報（ＣＱＩ）が入力されると、目標のチャネル品質に近づけるための電力制御情報を生成し、変調部１０９へ生成された電力制御情報を出力する。
【００３３】
ＣＱＩ演算部１０５は、復調部１０３からパイロット信号が入力されるとチャネル品質情報（ＣＱＩ）を生成し、生成されたチャネル品質情報（ＣＱＩ）をＴＰＣ情報生成部１０４及び上りスケジューラ１０８へ出力する。
【００３４】
下りスケジューラ１０６は、復調部から下り信号品質情報が入力されると一定の誤り率特性を確保するようなＭＣＳ（Modulation and Coding Scheme）及びチャネルリソース（周波数及び時間のセグメント）の割り当てを決定し、これらをまとめて下りリソース割り当て情報として変調部１０９へ出力する。
【００３５】
タイミング情報生成部１０７は、復調部１０３から入力されたパイロット信号に基づいてタイミングのずれを検出し、検出されたタイミングずれを補正するための制御情報を生成し、生成された制御情報を変調部１０９へ出力する。
【００３６】
上りスケジューラ１０８は、ＣＱＩ演算部１０５からチャネル品質情報（ＣＱＩ）が入力されると、各移動局２０３が一定の誤り率特性を確保できるＭＣＳとチャネルリソースの割り当てを決定し、これらをまとめて上りリソース割り当て情報として変調部１０９へ出力する。なお、上りスケジューラ１０８は、チャネルリソースの割り当て結果を保持する。
【００３７】
ＭＣＳは、移動局２０３の通信環境品質をグレード分けし、通信速度（具体的には、変調方式及び符号化方法）を定めるために用いられる。ＭＣＳのグレードが高いほど、通信速度は速くなり、移動局２０３との通信環境が良好な場合に用いられる。逆にＭＣＳのグレードが低い場合、通信速度は遅くなるが、劣悪な通信環境に強い変調方式及び符号化方法が選択される。
【００３８】
図６及び図７は、本発明におけるＣＤＭＡセグメント周辺のリソースＡを示す説明図である。
【００３９】
本実施の形態において、上りスケジューラ１０８は、前述したチャネルリソースの割り当て結果を参照し、ＣＤＭＡセグメントが割り当てられる配置を検知し、図６に示すようにＣＤＭＡセグメントの周辺を特定のリソース（リソースＡ）に設定し、設定されたリソースＡの配置に関する情報を保持する。
【００４０】
図６において、リソースＡはＣＤＭＡセグメントに隣接する領域（ＣＤＭＡセグメント３つ分の幅をもった矩形の領域）に設定されているが、リソースＡの大きさは、図７に示すように、割り当てられたＣＤＭＡセグメントを含む任意の大きさに設定することができる。なお、リソースＡの大きさは、移動局２０３との間の通信品質情報、遅延など種々の瞬時情報、および統計的情報に基づいて設定するとよい。
【００４１】
変調部１０９は、基地局２０１の制御部から出力された下りデータと、タイミング情報生成部１０７、ＴＰＣ情報生成部１０４、下りスケジューラ１０６、及び上りスケジューラ１０８から出力された各制御信号を多重化し、下りベースバンドＯＦＤＭ信号として、フロントエンド部１０２に出力する。データ信号及び制御信号はそれぞれ同周波数チャネルで時分割多重、またはそれぞれに周波数チャネルを設けて周波数分割多重する。
【００４２】
以下、第１の実施の形態における上りスケジューラ１０８について説明する。
【００４３】
第１の実施の形態では、上りスケジューラ１０８がリソースＡの割り当ての優先順位を下げることによって、リソースＡとその他のリソースとを分離し、干渉の発生を抑制する。
【００４４】
図８は、本発明の第１の実施の形態の上りスケジューラ１０８の処理を示すフローチャートである。
【００４５】
基地局２０１は、周期的にチャネルリソース割り当て処理を実行している。図８に示す上りスケジューラ１０８の処理は、例えば、周期的に行われる前記チャネルリソース割り当て処理において実行される。具体的には、ＣＱＩ演算部１０５からチャネル品質情報（ＣＱＩ）が入力された時に動作を開始する。
【００４６】
まず、上りスケジューラ１０８は、前述したチャネルリソースの割り当て結果と前述したリソースＡの配置に関する情報とを参照し、移動局２０３に割り当てられるチャネルリソースがリソースＡであるか否かを判定する（１００１）。
【００４７】
その結果、移動局２０３に割り当てられるチャネルリソースがリソースＡでないと判定された場合、上りスケジューラ１０８は、チャネルリソース割り当て処理を実行する（１００２）。具体的には、上りスケジューラ１０８は、割り当ての優先順位の高いチャネルリソースから順番に、移動局２０３に割り当てるチャネルリソースを決定する。
【００４８】
一方、移動局２０３に割り当てられるチャネルリソースがリソースＡであると判定された場合、上りスケジューラ１０８は、判定されたチャネルリソース（移動局２０３に割り当てられるべきリソースＡ）の割り当ての優先順位を下げて（１００５）、ステップ１００２に進む。ステップ１００２では、変更された割り当て優先順位に基づいて、移動局２０３に割り当てられるチャネルリソースが決定される。
【００４９】
次に、上りスケジューラ１０８は、ＭＣＳ決定処理を実行する（１００３）。ＭＣＳ決定処理は、ＣＱＩ演算部１０５から入力されたチャネル品質情報（ＣＱＩ）を参照し、割り当てられるチャネルリソースを用いて一定の誤り率特性を達成できるＭＣＳを判定し、ＭＣＳのグレード（変調方式及び符号化方法）を決定する処理である。具体的には、上りスケジューラ１０８は、入力されたチャネル品質情報（ＣＱＩ）とＭＣＳとの対応関係を格納するテーブルを参照し、変調方式及び符号化方法を決定する。なお、前記ＣＱＩとＭＣＳとの対応関係が格納されるテーブルは、基地局２０１及び移動局２０３に予め実装されていてもよいし、基地局２０１と移動局２０３との間で通信を開始するときのネゴシエーションによって基地局２０１及び移動局２０３に決定してもよい。
【００５０】
上りスケジューラ１０８は、チャネルリソース割り当て処理及びＭＣＳ決定処理によって決定された、移動局２０３が使用可能なチャネルリソース、変調方式及び符号化方法を通知するための制御情報を生成して変調部１０９に出力する（１００４）。
【００５１】
以上説明したように、第１の実施の形態では、優先順位の低くなったリソースＡは、ＯＦＤＭＡリソースが逼迫した状態以外で割り当てられる可能性が低くなる。したがって、リソースＡの利用回数が減り、干渉による影響を受けにくくすることができる。これによって、当該リソースのデータ通信品質（誤り率特性）の劣化を低減することができ、データ遅延の原因となる再送回数も低減することができる。
【００５２】
［第２の実施の形態］
次に、本発明の第２の実施の形態について説明する。
【００５３】
第２の実施の形態では、上りスケジューラ１０８がリソースＡのＭＣＳのグレードを下げることによって、リソースＡを有効に利用し、かつ、リソースＡを割り当てられた移動局２０３の通信品質を保つことができる。
【００５４】
第２の実施の形態のセルラ無線システムの構成は、前述した図１、図２及び図３に示すとおりであり、基地局２０１の構成も、図５に示すとおりであるので、これらの説明は省略する。
【００５５】
図９は、本発明の第２の実施の形態の上りスケジューラ１０８の処理を示すフローチャートである。なお、ステップ１００１〜ステップ１００４の各処理は、第１の実施の形態と同様の処理が行われる。以下、差異を詳しく説明する。
【００５６】
まず、上りスケジューラ１０８は、チャネルリソース割り当て処理を実行する（１００２）。次に、上りスケジューラ１０８は、割り当てられたチャネルリソースがリソースＡであるか否かを判定する（１００１）。なお、割り当てられたチャネルリソースがリソースＡであるか否かの判定方法は、第１の実施の形態で説明した方法と同じである。
【００５７】
その結果、移動局２０３に割り当てられるチャネルリソースがリソースＡでないと判定された場合、上りスケジューラ１０８は、ＭＣＳ決定処理を実行し（１００３）、移動局２０３が使用するチャネルリソース、変調方式及び符号化方法を通知するための制御情報を生成し、生成された前記制御情報を変調部１０９に出力する（１００４）。
【００５８】
一方、移動局２０３に割り当てられるチャネルリソースがリソースＡであると判定された場合、上りスケジューラ１０８は、ＭＣＳ決定処理（１００３）と同じ処理を実行し、さらに、前記ＭＣＳ決定処理で決定されたＭＣＳのグレードを下げ（１００６）、ステップ１００４に進む。ＭＣＳのグレードを下げると、通信環境が良好でない（すなわち、多少の干渉がある）場合であっても、通信品質を保つことができる。
【００５９】
以上説明したように、第２の実施の形態では、前述した第１の実施の形態の効果と同様に、ＣＤＭＡセグメントのずれによる干渉が生じるチャネルリソースを有効に利用し、かつ、干渉に強い変調方式及び符号化方法に切り替え、誤り率特性の劣化を防ぐ事となり、すなわち通信品質を保つことができる。
【００６０】
［第３の実施の形態］
次に、本発明の第３の実施の形態について説明する。
【００６１】
第３の実施の形態では、リソースＡが割り当てられるチャネルリソースの電力を高くすることによって、リソースＡを割り当てられた移動局２０３の通信品質を保つことができる。なお、第３の実施の形態は、単独で適用されてもよいが、前述した他の実施の形態と共に適用されてもよい。
【００６２】
図１０は、本発明の第３の実施の形態における基地局２０１が備える無線送受信部の構成を示すブロック図である。
【００６３】
第３の実施の形態では、ＴＰＣ情報生成部１０４が、上りスケジューラ１０８からの入力された情報に基づいて電力制御を行うことを特徴とする。上りスケジューラ１０８は、具体的には、リソースＡを検出し、検出した結果をＴＰＣ情報生成部１０４へ出力する。なお、他の構成は前述した第１の実施の形態の基地局２０１の構成（図５）と同じであるので、この説明は省略する。
【００６４】
図１１は、本発明の第３の実施の形態の上りスケジューラ１０８の処理を示すフローチャートである。なお、ステップ１００１〜ステップ１００４の各処理は、第１の実施の形態と同様の処理が行われる。以下、差異を詳しく説明する。
【００６５】
まず、上りスケジューラ１０８は、チャネルリソース割り当て処理を実行する（１００２）。次に、上りスケジューラ１０８は、割り当てられたリソースがリソースＡか否かを判定する（１００１）。なお、割り当てられたチャネルリソースがリソースＡであるか否かの判定方法は、第１の実施の形態で説明した方法と同じである。
【００６６】
その結果、移動局２０３に割り当てられるチャネルリソースがリソースＡでないと判定された場合、上りスケジューラ１０８は、ＭＣＳ決定処理を実行する（１００３）。
【００６７】
一方、上りスケジューラ１０８は、移動局２０３に割り当てられるチャネルリソースがリソースＡであると判定した場合、ＭＣＳ決定処理（１００３）と同じ処理を実行し、リソースＡを検出したことを知らせる検出信号を生成し、生成された検出信号をＴＰＣ情報生成部１０４に出力する（１００７）。
【００６８】
その後、上りスケジューラ１０８は、移動局２０３が使用するチャネルリソース、変調方式及び符号化方法を通知するための制御情報を生成し、生成された前記制御情報を変調部１０９に出力する（１００４）。
【００６９】
図１２は、本発明の第３の実施の形態のＴＰＣ情報生成部１０４の処理を示すフローチャートである。
【００７０】
まず、ＴＰＣ情報生成部１０４は、上りスケジューラ１０８から出力された検出信号を受信したか否かを判定する（１１０１）。
【００７１】
その結果、上りスケジューラ１０８から出力された検出信号を受信しなかった場合、ＴＰＣ情報生成部１０４は、ＣＱＩ演算部１０５から入力されたチャネルの品質情報（ＣＱＩ）に基づいて、一定のチャネルの品質を保つための目標電力に近づけるための制御をする（１１０２）。次に、ＴＰＣ情報生成部１０４は、リソースが割り当てられた移動局２０３のチャネル品質を目標に近づけるための電力制御情報を生成し、生成された電力制御情報を変調部１０９へ出力する（１１０３）。
【００７２】
ＴＰＣ情報生成部１０４は、上りスケジューラ１０８から出力された検出信号を受信した場合、リソースＡの送信電力を他のリソースに比べて高く保つため、電力制御目標値を高い値に変更し（１１０４）、ステップ１１０２へ進む。
【００７３】
以上説明したように、第３の実施の形態では、リソースＡの送信電力を、他のリソースよりも上げることによって、リソースＡで干渉が起きても所望信号を検出することができる。
【００７４】
なお、第１の実施の形態、第２の実施の形態、及び、第３の実施の形態は、基地局２０１が上りスケジューラ１０８の制御を行っていたが、基地局に接続された上位装置を設け、この上位装置が基地局２０１に代わって、上りスケジューラ１０８を制御してもよい。この場合、前述した上りスケジューラの処理（図７、図９及び図１１）は、上位装置において実行される。
【図面の簡単な説明】
【００７５】
【図１】従来のセルラ無線システムの構成を示す説明図である。
【図２】従来のセルラ無線システムの移動局と基地局との関係を示す説明図である。
【図３】従来のＯＦＤＭＡ方式とＣＤＭＡ方式とが混在した通信方式における、チャネルリソースを示す説明図である。
【図４】従来のＯＦＤＭＡ方式とＣＤＭＡ方式とが混在した通信方式において、ＣＤＭＡセグメントが時間方向及び周波数方向に与える干渉を示す説明図である。
【図５】本発明の第１の実施の形態の基地局が備える無線送受信部の構成を示すブロック図である。
【図６】本発明におけるＣＤＭＡセグメント周辺のリソースＡを示す説明図である。
【図７】本発明におけるＣＤＭＡセグメント周辺のリソースＡを示す説明図である。
【図８】本発明の第１の実施の形態の上りスケジューラの処理を示すフローチャートである。
【図９】本発明の第２の実施の形態の上りスケジューラの処理を示すフローチャートである。
【図１０】本発明の第３の実施の形態における基地局が備える無線送受信部の構成を示すブロック図である。
【図１１】本発明の第３の実施の形態の上りスケジューラの処理を示すフローチャートである。
【図１２】本発明の第３の実施の形態のＴＰＣ情報生成部の処理を示すフローチャートである。
【符号の説明】
【００７６】
１０１  アンテナ
１０２  フロントエンド部
１０３  復調部
１０４  ＴＰＣ情報生成部
１０５  ＣＱＩ演算部
１０６  下りスケジューラ
１０７  タイミング情報生成部
１０８  上りスケジューラ
１０９  変調部
２０１  基地局
２０２  ネットワークＮＷ
２０３  移動局
【図１】
2009296199.tif 000003
【図２】
2009296199.tif 000004
【図３】
2009296199.tif 000005
【図４】
2009296199.tif 000006
【図５】
2009296199.tif 000007
【図６】
2009296199.tif 000008
【図７】
2009296199.tif 000009
【図８】
2009296199.tif 000010
【図９】
2009296199.tif 000011
【図１０】
2009296199.tif 000012
【図１１】
2009296199.tif 000013
【図１２】
2009296199.tif 000014